(57)【特許請求の範囲】
【請求項１】
薬液を貯留する薬液貯留槽と、該薬液貯留槽内の薬液を被供給箇所に供給する移送配管と、前記薬液を前記移送配管内にて移送させうるように前記移送配管に配されたポンプとを備えてなる薬液供給装置であって、
前記移送配管の前記ポンプより下流側の位置から分岐した分岐配管が備えられ、
前記移送配管が、前記分岐配管が設けられた分岐部と、該分岐部よりも上流側となる第１移送配管と、該分岐部よりも下流側となる第２移送配管とを備え、
前記分岐配管が、前記分岐部から前記薬液貯留槽に前記薬液を返送するように構成され、
前記第１移送配管内を流通した薬液が移送先として前記第２移送配管及び前記分岐配管の何れか一方に移送されるように構成されており、
前記第２移送配管及び前記分岐配管の間で前記移送先を相互に切替可能とする切替装置が備えられてなり、
前記切替装置は、前記分岐配管に配された背圧弁と、前記第２移送配管の流路を開閉する開閉弁とを備えてなることを特徴とする薬液供給装置。
【発明の詳細な説明】
【技術分野】
【０００１】
本発明は、薬液供給装置に関し、詳しくは、薬液を貯留する薬液貯留槽を備え、該薬液貯留槽の薬品を被供給箇所に供給するように構成されている薬液供給装置に関する。
【背景技術】
【０００２】
従来、この種の薬液供給装置は、例えば、上水が流通する上水用配管に、前記薬液としての次亜塩素酸ナトリウム水溶液を供給するのに用いられている。
【０００３】
この薬品供給装置は、前記薬液貯留槽と、該薬液貯留槽内の薬液を被供給箇所に供給する移送配管と、前記薬液を前記移送配管内にて移送させうるように前記移送配管に配されたポンプとを備えてなる。
【０００４】
しかるに、この薬液供給装置を用いて、次亜塩素酸ナトリウム水溶液を前記上水用配管に移送する場合には、該次亜塩素酸ナトリウム水溶液が前記移送配管内を移送されている移送過程で該次亜塩素酸ナトリウム水溶液から塩素ガス等のガスが気泡として発生するため、該気泡が前記移送配管の内周面に付着し、該気泡が次第に凝集する。そして、該凝集した気泡（以下、「凝集気泡」ともいう。）が前記ポンプ内に移送されると、前記ポンプにガスロックが生じ、所定の質量流量で次亜塩素酸ナトリウム水溶液を前記上水用配管に安定的に供給できなくなる。所定の質量流量で次亜塩素酸ナトリウム水溶液を前記上水用配管に安定的に供給できないと、該上水用配管中の水における次亜塩素酸ナトリウム濃度が一定せず、上水の品質が基準を満たさない場合が生じ得る。
【０００５】
斯かる観点から、前記移送過程で発生した凝集気泡が前記ポンプに供給されるのを抑制する機構を設けた薬液供給装置が知られている（例えば、特許文献１）。
【先行技術文献】
【特許文献】
【０００６】
【特許文献１】特開２００３−８０００４号公報
【発明の概要】
【発明が解決しようとする課題】
【０００７】
ところで、斯かる薬液供給装置を用いて、次亜塩素酸ナトリウム水溶液を前記上水用配管に移送した後に、該上水用配管のメンテナンス等の目的でポンプを停止して次亜塩素酸ナトリウム水溶液の供給を停止し、そして、再度ポンプを稼働させて次亜塩素酸ナトリウム水溶液を前記上水用配管に移送することが行われている。
【０００８】
しかしながら、ポンプ停止時には、前記移送配管に次亜塩素酸ナトリウム水溶液が滞留するため、前記移送配管の内周面に付着した気泡が水流によって前記移送配管外に流されることがなくなる。さらに、前記移送配管に滞留した次亜塩素酸ナトリウム水溶液から新たな気泡が発生する。よって、ポンプの停止時間が長くなる程、前記移送配管内の気泡が増加する。また、ポンプ停止時には、前記移送配管内の次亜塩素酸ナトリウム水溶液にかかる圧力がポンプの稼動時よりも小さくなり、気泡が発生しやすくなって、前記移送配管内の気泡が増加する。前記移送配管内の気泡が増加すると、前記移送配管内で生成される凝集気泡も増加する。
そして、このポンプの停止後に、ポンプを稼動させて次亜塩素酸ナトリウム水溶液を前記上水用配管に移送させると、ポンプ停止時に発生した凝集気泡が前記ポンプ内に移送され、該ポンプにガスロックが生じやすくなる。これにより、所定の質量流量で次亜塩素酸ナトリウム水溶液を前記上水用配管に安定的に供給できなくなるという問題がある。
また、前記移送配管内に次亜塩素酸ナトリウム水溶液を満たしながら次亜塩素酸ナトリウム水溶液を前記被供給箇所に移送しようとしても、ポンプ停止時に前記移送配管内に生じた凝集気泡の分だけ次亜塩素酸ナトリウム水溶液が存在しない箇所が前記移送配管内に生じる。よって、このポンプ停止後に、ポンプを稼動させて再度次亜塩素酸ナトリウム水溶液を前記上水用配管に移送させようとすると、前記凝集気泡の分だけ次亜塩素酸ナトリウム水溶液が移送されない場合が生じる。従って、所定の質量流量で次亜塩素酸ナトリウム水溶液を前記上水用配管に安定的に供給できなくなるという問題もある。
【０００９】
また、このような問題は、次亜塩素酸ナトリウム水溶液を前記上水用配管に供給する場合に限らず、気泡が発生しうる薬液を被供給箇所に供給する場合にも生じ得る。
【００１０】
本発明は、上記問題点に鑑み、被供給箇所への薬液の供給を一端停止した後に、被供給箇所へ薬液を再度供給する際に、安定して被供給箇所に薬液を供給し得る薬液供給装置を提供することを課題とする。
【課題を解決するための手段】
【００１１】
本発明は、薬液を貯留する薬液貯留槽と、該薬液貯留槽内の薬液を被供給箇所に供給する移送配管と、前記薬液を前記移送配管内にて移送させうるように前記移送配管に配されたポンプとを備えてなる薬液供給装置であって、
前記移送配管の前記ポンプより下流側の位置から分岐した分岐配管が備えられ、
前記移送配管が、前記分岐配管が設けられた分岐部と、該分岐部よりも上流側となる第１移送配管と、該分岐部よりも下流側となる第２移送配管とを備え、
前記分岐配管が、前記分岐部から前記薬液貯留槽に前記薬液を返送するように構成され、
前記第１移送配管内を流通した薬液が移送先として前記第２移送配管及び前記分岐配管の何れか一方に移送されるように構成されており、
前記第２移送配管及び前記分岐配管の間で前記移送先を相互に切替可能とする切替装置が備えられてなることを特徴とする薬液供給装置にある。
【００１２】
斯かる薬液供給装置は、前記分岐配管及び前記切替装置を備えてなることにより、前記ポンプを停止せずに、被供給箇所への薬液の供給を停止することができる。よって、被供給箇所への薬液の供給の停止時に、前記ポンプが配された第１移送配管に凝集気泡が生じ難くなる。
従って、斯かる薬液供給装置は、被供給箇所への薬液の供給を一端停止した後に、被供給箇所へ薬液を再度供給する際に、安定して被供給箇所に薬液を供給することができる。
【００１３】
また、本発明に係る薬液供給装置においては、前記切替装置は、前記分岐配管に配された背圧弁と、前記第２移送配管の流路を開閉する開閉弁とを備えてなる。
【００１４】
斯かる薬液供給装置は、前記切替装置が、前記背圧弁及び前記開閉弁を備えてなることから、前記開閉弁を閉状態にすることで、前記第１移送配管内を流通した薬液が前記分岐配管のみに供給される。また、前記開閉弁を開状態にすることで、前記背圧弁により、前記第１移送配管内を流通した薬液が前記分岐配管を流通するのが抑制され、前記第１移送配管内を流通した薬液が前記第２移送配管に供給されやすくなる。よって、斯かる薬液供給装置は、前記開閉弁の開閉により、前記第１移送配管内を流通した薬液が、前記第２移送配管又は前記分岐配管に移送されるように制御することができる。
また、斯かる薬液供給装置は、前記開閉弁が閉状態となって前記薬液が前記分岐配管に供給されている状態では、前記開閉弁よりも上流側の薬液に、前記背圧弁の設定圧力と同等の圧力がかかり得る。よって、斯かる薬液供給装置は、前記開閉弁が閉状態となっている時に前記開閉弁の上流側の薬液にかかる圧力により、前記開閉弁が閉状態から開状態となった際に、前記開閉弁の上流側の薬液が前記開閉弁の下流側に圧送されて、薬液が第２移送配管をスムーズに流通しやすくなる。
従って、斯かる薬液供給装置は、被供給箇所への薬液の供給を一端停止した後に、被供給箇所へ薬液を再度供給する際に、より一層安定して被供給箇所に前記薬液を供給することができるという利点がある。
なお、前記背圧弁は、該背圧弁の上流側の配管内の圧力が設定圧力以下である場合には、液体の流通を阻止し、一方で、該背圧弁の上流側の配管内の圧力が設定圧力を超えようとした場合に、該配管内の圧力を設定圧力に保つように液体を流通させる弁である。
【発明の効果】
【００１５】
以上のように、本発明の薬液供給装置は、被供給箇所への薬液の供給を一端停止した後に、被供給箇所へ薬液を再度供給する際に、安定して被供給箇所に薬液を供給し得る。
【図面の簡単な説明】
【００１６】
【図１】一実施形態に係る薬液供給装置の概略図。
【図２】一実施形態に係る薬液供給装置の概略図。
【発明を実施するための形態】
【００１７】
以下、添付図面を参照しつつ、本発明の一実施形態について説明する。
【００１８】
図１に示すように、本実施形態の薬液供給装置１は、薬液を貯留する薬液貯留槽２と、該薬液貯留槽２内の薬液を被供給箇所Ａに供給する移送配管３と、前記薬液を前記移送配管３内にて移送させうるように前記移送配管３に配されたポンプ４と、前記移送配管３の途中における前記ポンプ４の下流側から分岐した分岐配管５とを備えてなる。
【００１９】
前記薬液は、気泡が発生しうる薬液であれば特に限定されないが、該薬液としては、例えば、次亜塩素酸ナトリウム水溶液等が挙げられる。
前記薬液として次亜塩素酸ナトリウム水溶液を用いる場合には、該次亜塩素酸ナトリウム水溶液における次亜塩素酸ナトリウムの濃度としては、０．１ｍｇ／Ｌ〜１．５ｍｇ／Ｌが好ましく、０．１ｍｇ／Ｌ〜０．５ｍｇ／Ｌがより好ましい。
【００２０】
前記被供給箇所Ａとしては、前記薬液を供給したい箇所であれば特に限定されないが、該被供給箇所としては、例えば、上水が流通する上水用配管等の配管、槽等が挙げられる。
【００２１】
前記移送配管３は、前記分岐配管５が設けられた分岐部３ｃと、該分岐部３ｃよりも上流側となる第１移送配管３ａと、該分岐部３ｃよりも下流側となる第２移送配管３ｂとを備えてなる。前記第１移送配管３ａは、前記薬液貯留槽２と該薬液貯留槽２の下部で連通している。また、前記第１移送配管３ａは、前記分岐部３ｃから水平方向に延在する部分を有している。また、前記第２移送配管３ｂは、前記分岐部３ｃから水平方向に延在する部分を有している。
【００２２】
前記分岐配管５は、前記分岐部３ｃから前記薬液貯留槽２に前記薬液を返送するように構成されている。また、前記分岐配管５は、前記分岐部３ｃから上向きに延在する上向き延在部５ａを備えてなる。本実施形態の薬液供給装置１は、前記分岐配管５が前記上向き延在部５ａを備えてなることにより、前記第１移送配管３ａから前記第２移送配管３ｂに前記薬液が移送される際に、薬液と共に移送される気泡が浮力により前記上向き延在部５ａへ移動されやすくなり、前記移送配管３内の気泡を減少させることができるという利点がある。
【００２３】
また、本実施形態の薬液供給装置１は、前記第１移送配管３ａ内を流通した薬液が移送先として前記第２移送配管３ｂ及び前記分岐配管５の何れか一方に移送されるように構成されている。
【００２４】
さらに、本実施形態の薬液供給装置１は、前記第２移送配管３ｂ及び前記分岐配管５の間で前記移送先を相互に切替可能とする切替装置６を備えてなる。
【００２５】
前記切替装置６は、前記分岐配管５に配された第１背圧弁６ａと、前記第２移送配管３ｂに配された第２背圧弁６ｂと、前記第２移送配管３ｂの流路を開閉する開閉弁６ｃとを備えてなる。前記第２背圧弁６ｂは、前記開閉弁６ｃよりも下流側に配されている。前記第１背圧弁６ａの設定圧力は、前記第２背圧弁６ｂの設定圧力よりも高く設定されている。第１背圧弁６ａの設定圧力は、前記第２背圧弁６ｂの設定圧力よりも高く設定されていることにより、本実施形態の薬液供給装置１は、前記第２背圧弁６ｂにかかる薬液の圧力を一定に保つことができ、被供給箇所Ａに薬液を安定的に供給することができるという利点がある。前記開閉弁６ｃは、開閉自在に構成されている。
【００２６】
前記第１背圧弁６ａの設定圧力から前記第２背圧弁６ｂの設定圧力を引いた設定圧力の差は、０．０５〜０．２０ＭＰａが好ましく０．１０〜０．１５ＭＰａがより好ましい。本実施形態の薬液供給装置１は、前記設定圧力の差が０．０５ＭＰａ以上であることにより、被供給箇所Ａに薬液をより一層安定的に供給することができるという利点を有する。
前記第１背圧弁６ａの設定圧力は、０．３０〜０．４０ＭＰａが好ましく、０．３０〜０．３５ＭＰａがより好ましい。本実施形態の薬液供給装置１は、前記第１背圧弁６ａの設定圧力が０．３０ＭＰａ以上であることにより、前記開閉弁６ｃが閉状態である時に（被供給箇所Ａへの薬液の供給の停止時に）、ポンプ４と開閉弁６ｃとの間の管内の圧力を一定に保つことができるという利点を有する。
前記第２背圧弁６ｂの設定圧力は、０．１５〜０．２５ＭＰａが好ましく、０．１５〜０．２０ＭＰａがより好ましい。本実施形態の薬液供給装置１は、前記第２背圧弁６ｂの設定圧力が０．１５ＭＰａ以上であることにより、前記開閉弁６ｃが開状態である時に（被供給箇所Ａへの薬液の供給の実施時に）、第２背圧弁６ｂと開閉弁６ｃとの間の管内の圧力を一定に保つことができ、その結果、被供給箇所Ａに薬液を安定して供給できるという利点を有する。
【００２７】
尚、本実施形態の薬液供給装置１は、上記構成により、上記利点を有するものであったが、本発明の薬液供給装置は、上記構成に限定されず、適宜設計変更可能である。
【００２８】
即ち、本実施形態の薬液供給装置１は、前記第２移送配管３ｂが、前記分岐部３ｃから水平方向に延在する部分を有しているが、図２に示すように、本発明の薬液供給装置１は、前記第２移送配管３ｂが、前記分岐部３ｃから下向きに延在する下向き延在部３ｂ１を有してもよい。
斯かる薬液供給装置１は、斯かる構成を有することにより、前記開閉弁が閉状態となっている時に、前記下向き延在部３ｂ１で発生した気泡が、浮力により前記上向き延在部５ａに移動されやすくなる。よって、斯かる薬液供給装置１は、前記開閉弁６ｃが閉状態の際に、前記下向き延在部３ｂ１で発生した気泡が減少され、前記開閉弁６ｃが閉状態から開状態となった際に、薬液が第２移送配管３ｂをスムーズに移送されやすくなる。
従って、斯かる薬液供給装置１は、被供給箇所への薬液の供給を一端停止した後に、被供給箇所へ薬液を再度供給する際に、より一層安定して被供給箇所に前記薬液を供給することができるという利点がある。
【００２９】
また、本実施形態の薬液供給装置１は、前記切替装置６が、前記第１背圧弁６ａ、前記第２背圧弁６ｂ及び前記開閉弁６ｃを備えてなるが、本発明の薬液供給装置は、前記切替装置６が、前記第１移送配管３ａ内を流通した薬液が前記第２移送配管３ｂ又は前記分岐配管５に移送されるように該薬液の流路を切り替える切替弁を前記第分岐部３ｃに備えてもよい。
【符号の説明】
【００３０】
１：薬液供給装置、２：薬液貯留槽、３：移送配管、３ａ：第１移送配管、３ｂ：第２移送配管、３ｂ１：下向き延在部、３ｃ：分岐部、４：ポンプ、５：分岐配管、５ａ：上向き延在部、６：切替装置、６ａ：第１背圧弁、６ｂ：第２背圧弁、６ｃ：開閉弁、Ａ：被供給箇所
【図１】
0005506833.tif 000002
【図２】
0005506833.tif 000003